(57)【要約】【課題】利用者からみて、より使い勝手のよい複合型画像処理装置を提供する。【解決手段】例えば原稿の用紙中に埋め込まれた非接触ＩＣタグに記憶された情報に基いて、複合型画像処理装置に備えられる複数の機能（画像読取、画像形成、ファックス送信、ネットワーク接続など）の中のいずれの機能が利用されるかを判定し、操作パネル上の液晶パネル等の表示部に表示される画面を切り替える。【選択図】          図１０
2004222085.tif 000002
【特許請求の範囲】
【請求項１】
複数の機能を備える複合型画像処理装置であって、
非接触ＩＣタグに記憶された情報を、無線通信により読み出す読み出し手段と、
前記読み出し手段により読み出された情報に基いて、前記複数の機能のいずれかを判断する判断手段と、
表示手段と、
前記表示手段に表示させる画面を制御する表示制御手段とを備え、
前記表示制御手段は、
前記判断手段による判断の結果に基き、前記表示手段に表示させる画面を切り替える
ことを特徴とする複合型画像処理装置。
【請求項２】
前記複合型画像処理装置は画像形成機能を備え、さらに、
前記非接触ＩＣタグが埋め込まれた記録シート上に画像を形成する際に、前記非接触ＩＣタグに、形成される画像に関連する情報を書き込む書き込み手段を備える
ことを特徴とする請求項１に記載の複合型画像処理装置。
【請求項３】
前記複合型画像処理装置はネットワークに接続する機能を備え、さらに、
前記読み出し手段により読み出された情報に基き、前記ネットワークに接続されたサーバから情報を検索する検索手段を備え、
前記表示制御手段は、
前記検索手段による検索の結果を前記表示手段に表示させる
ことを特徴とする請求項１又は２に記載の複合型画像処理装置。
【請求項４】
前記複合型画像処理装置は、
記録シートが所定の位置に載置されたことを検出する検出手段を備え、
前記読み出し手段は、
前記検出手段により記録シートの載置が検出された場合に、記録シートに埋め込まれた非接触ＩＣタグへの通信を要求する信号を送信する
ことを特徴とする請求項１から３のいずれかに記載の複合型画像処理装置。
【請求項５】
請求項４に記載の複合型画像処理装置において、
前記複合型画像処理装置は、前記所定の位置に載置された原稿を読み取って画像データを生成する画像読取装置の機能を備え、
前記読み取り手段により、非接触ＩＣタグから情報を読み出せなかった場合には、載置された原稿に対して通常の画像読取処理を行う
ことを特徴とする複合型画像処理装置。
【発明の詳細な説明】
【０００１】
【発明の属する技術分野】
本発明は、例えばコピー、プリンタ、スキャナ、ネットワーク接続など、複数の機能を備える複合型画像処理装置に関する。
【０００２】
【従来の技術】
近年、例えば、コピー、プリンタ、スキャナなどの各機能や、インターネット等のネットワークに接続してファイルの検索、電子メールの送受信を行う機能など、複数の機能を備える複合型画像処理装置が種々実用化されている。一方、いわゆるリーダライタとの間で無線通信を行うことにより情報の書き込み、読み出しが可能な非接触型のＩＣタグ（ＲＦ−ＩＤ）も開発されている。非接触ＩＣタグ（以下、単に「ＩＣタグ」という。）は、最近では小型化、低価格化が進行し、０．４ｍｍ四方のＩＣタグを紙幣に埋め込み、固体識別に用いるという提案もなされているところである。
【０００３】
このような状況において、ＩＣタグが埋め込まれたＩＤカードを所持した利用者が画像形成装置に近づくと、画像形成装置が、ＩＣタグに記憶されている個人設定情報を読み出し、自動的に画像形成装置の設定を変更する技術が、例えば特許文献１に開示されている。
【０００４】
【特許文献１】
特開２０００−３２１９３８号公報
【０００５】
【特許文献２】
特開２００１−２５７８６２号公報
【０００６】
【特許文献３】
特開２００１−９６８１４号公報
【０００７】
【特許文献４】
特開２００２−１４９３７０号公報
【０００８】
【発明が解決しようとする課題】
しかしながら、同一の利用者であっても、好ましい設定が常に同一であるとは限らない。また、例えば原稿に形成された画像の内容によって、複合型画像処理装置が備える複数の機能のいずれを利用したいかが異なってくるような場合もある。上記の従来技術では、そのような状況に対応することができないという問題点を有していた。本発明は、係る問題点に鑑みてなされたものであって、利用者から見て、より使い勝手のよい複合型画像処理装置を提供することを目的としている。
【０００９】
【課題を解決するための手段】
上記目的を達成するために、本発明に係る複合型画像処理装置は、複数の機能を備える複合型画像処理装置であって、非接触ＩＣタグに記憶された情報を、無線通信により読み出す読み出し手段と、前記読み出し手段により読み出された情報に基いて、前記複数の機能のいずれかを判断する判断手段と、表示手段と、前記表示手段に表示させる画面を制御する表示制御手段とを備え、前記表示制御手段は、前記判断手段による判断の結果に基き、前記表示手段に表示させる画面を切り替えることを特徴としている。
【００１０】
この構成では、非接触ＩＣタグに記憶されている情報に基いて複合型画像処理装置が備える複数の機能の中のいずれの機能を利用するかを判断し（一つの機能を利用する場合に限定されず、複数の機能を利用する場合も含む。）、例えば操作パネルに設けられる液晶パネルなどの表示手段に表示される画面を切り替える。
【００１１】
従って、例えば、前記複合型画像処理装置は画像形成機能を備え、さらに、前記非接触ＩＣタグが埋め込まれた記録シート上に画像を形成する際に、前記非接触ＩＣタグに、形成される画像に関連する情報を書き込む書き込み手段を備えるようにすれば、同一の利用者でも、例えば記録シート上に形成されている画像の内容等に基づいて画面を切り替えることができ、利用者から見た使い勝手が向上する。もっとも、具体的な適用方法はこれに限定されず、非接触ＩＣタグに記憶される情報の内容、情報を記憶する方法等も他に種々考えられるため、例えばコピー画面とファックス画面の切り替えや、初期設定値の切り替えなど、多くの適用方法が考えられる。この場合の画面の切り替えは、従来と異なり利用者が何らの操作（例えば切り替えボタンの押下など）を行う必要なく、自動的に切り替えが行われるため、利用者は煩雑な操作から開放され、操作性が向上する。もっとも、リセットボタンの押下などにより、初期画面に戻すようにすることも勿論可能である。また、例えば電子写真方式で画像形成を行う画像形成装置に適用する場合など、画像形成プロセスにおいて非接触ＩＣタグの記憶内容が好ましくない影響を受ける可能性があるような場合（例えば、転写電圧などの影響により記憶内容が変化する等）には、記録シートを最終的に排出する直前などに情報を書き込むようにすることが好ましい。
【００１２】
他の一適用例として、前記複合型画像処理装置はネットワークに接続する機能を備え、さらに、前記読み出し手段により読み出された情報に基き、前記ネットワークに接続されたサーバから情報を検索する検索手段を備え、前記表示制御手段は、前記検索手段による検索の結果を前記表示手段に表示させるようにすれば、例えば会議用の書類と、当該書類の内容と関連した画像ファイルやプレゼンテーション用ファイル等とを関連させておき、検索の結果、関連する情報が得られた場合に、その旨を画面に表示させることができ、さらに使い勝手が向上する。
【００１３】
また、前記複合型画像処理装置は、記録シートが所定の位置に載置されたことを検出する検出手段を備え、前記読み出し手段は、前記検出手段により記録シートの載置が検出された場合に、記録シートに埋め込まれた非接触ＩＣタグへの通信を要求する信号を送信するようにすれば、単に非接触ＩＣタグが埋め込まれた記録シートを持った人が周辺を通りがかっただけで画面が切り替わる、といった不都合を防止することができる。検出手段が載置を検出する所定の位置として、例えば複写機の場合であれば、自動原稿搬送装置（ＡＤＦ）の原稿載置トレイに原稿がセットされたことを検出することができるが、これに限定されず、任意の位置にセンサを設けて検出することが可能である。
【００１４】
前記複合型画像処理装置は、前記所定の位置に載置された原稿を読み取って画像データを生成する画像読取装置の機能を備え、前記読み取り手段により、非接触ＩＣタグから情報を読み出せなかった場合には、載置された原稿に対して通常の画像読取処理を行うことが好ましい。なお、画像読取機能を有すれば、ファックス装置、複写機などにも適用可能であり、通常のファックス送信、複写処理などを行うようにすることもできる。
【００１５】
【発明の実施の形態】
以下、本発明に係る複合型画像処理装置の実施の形態について、図面を参照しながら説明する。
（１）複合型画像処理装置の構成
図１は、本発明の実施の形態に係る複合型画像処理装置（以下、「ＭＦＰ」という。）１００において、本発明の実施に関連する部分の構成を示す機能ブロック図である。
【００１６】
同図に示されるように、本実施の形態のＭＦＰ１００は、ＣＰＵ１０１、ＲＯＭ１０２、ＲＡＭ１０３、バスブリッジ１０４、画像制御部１０５、画像メモリ１０６、スキャナＩＦ（インタフェース）１０７、スキャナ部１０８、プリンタＩＦ１０９、プリンタ部１１０、パネルＩＦ１１１、操作パネル１１２、ネットワークＩＦ１１３、シリアル通信ＩＦ１１４、及びＩＣタグリーダライタ部１１５、原稿検出センサ１１６を含んでいる。
【００１７】
バスブリッジ１０４は、ＣＰＵ１０１が接続された高速のＣＰＵバス１２０と、画像制御部１０５等が接続された汎用バス１２２との間に設けられている。バスブリッジ１０４には、例えばＣＰＵバス１２０及び汎用バス１２２の間で共用されるデータが記憶されるＲＯＭ１０２や作業領域となるＲＡＭ１０３が接続される。
【００１８】
画像制御部１０５と接続された画像バス１２１には、画像メモリ１０６、スキャナＩＦ１０７、プリンタＩＦ１０９が接続されている。スキャナＩＦ１０７には原稿画像を読み取って画像データを生成するスキャナ部１０８が接続されており、プリンタＩＦ１０９には、画像メモリ１０６に格納されている画像データに基づいて画像を形成するプリンタ部１１０が接続されている。画像バス１２１に接続された部については公知のものであるから、ここでの詳細な説明は省略する。
【００１９】
本実施の形態では、図１には不図示の自動原稿搬送装置（ＡＤＦ）に原稿が載置されたことを原稿検出センサ１１６が検出すると、ＩＣタグリーダライタ部１１５から、不図示のアンテナを介してＩＣタグへの通信を要求するリクエスト信号が送信される。ＩＣタグリーダライタ部１１５とＩＣタグとの間の無線通信は、ＩＳＯ１４４４３やＩＳＯ１５６９３に規定された各種通信方式を用いて行うことができるが、これに限定されない。もっとも、いずれの通信方式を用いた場合でも、まず、ＩＣタグリーダライタ部１１５から通信を要求するリクエスト信号を送信する必要があるため、本実施の形態では、原稿検出センサ１１６により原稿が検出された場合にリクエスト信号を送信するようにしたものである。
【００２０】
ＣＰＵ１０１は、ＩＣタグリーダライタ部１１５とＩＣタグとの間の通信によってＩＣタグから読み出された情報に基き、ネットワークＩＦ１１３を介してＬＡＮ５００に接続されたファイルサーバからファイルを検索したり、操作パネル１１２の表示切替などの処理を行うように制御する。操作パネル１１２には、特に図示はしないが、テンキーやスタートキー、リセットキーなどの各種キーに加えて液晶パネルなどの表示手段が設けられている。
【００２１】
また、ＣＰＵ１０１は，ＩＣタグが埋め込まれた記録シートに最初に画像を形成する際には、ＬＡＮ５００を介してプリントジョブを投入した利用者から併せて送信されてきた情報をＩＣタグに書き込む等の処理を行うように制御する。ＩＣタグリーダライタ部１１５による画像形成時、及び記録シート接近時の処理内容については、後に詳細に説明する。
【００２２】
（２）ネットワークシステムの構成
図２は、本実施の形態のＭＦＰ１００が接続されるネットワークシステムの構成及びＭＦＰ１００におけるＩＣタグリーダライタ部１１５の設置位置について説明するための図である。ＭＦＰ１００のネットワークＩＦ１１３と接続されたＬＡＮ５００には、ファイルサーバ２００及びクライアントＰＣ３００が接続されており、ＭＦＰ１００は、クライアントＰＣ３００から投入されたプリントジョブに従って、画像を形成する。この際に、新規な記録シートに埋め込まれたＩＣタグに情報を書き込む。また、ＭＦＰ１００に設けられたＡＤＦに載置された原稿に埋め込まれたＩＣタグに既に情報が記録されている場合などには、記録された情報を読み取り、ファイルサーバ２００に対する検索を行ったり、操作パネル１１２に含まれる表示手段の表示内容を切り替えたりする。
【００２３】
本実施の形態のＩＣタグリーダライタ部１１５は、図２に示されるように、ＡＤＦにおいて記録シートが載置される部分（図中「１１５ａ」で表す。）、及び画像が形成された記録シートが排紙される部分（図中「１１５ｂ」で表す。）の二ヶ所に通信用のアンテナを設けており、無線通信によりＩＣタグへの情報の読み書きを行う。もっとも一般的にＩＣタグとリーダライタとの間で電磁誘導方式によって通信を行う場合には、通信可能距離が約１ｍ程度であるから、ＭＦＰ１００のいずれか一ヶ所にアンテナを設けるようにしてもよい。
【００２４】
（３）最初の画像形成時におけるクライアントＰＣ３００での処理内容
次に、ＩＣタグが埋め込まれた記録シートに最初に画像を形成する際に、プリントジョブを投入するクライアントＰＣ３００で行う処理の内容について説明する。本実施の形態では、ＩＣタグが埋め込まれた記録シートに最初に画像が形成される際に、ＩＣタグに当該形成される画像（ないし画像を記録したファイル）の内容に関連したファイル等に関する情報（以下、「関連情報」という。）が記録される。
【００２５】
図３及び図４は、クライアントＰＣ３００で実行されるプリント指示処理の内容について説明するためのフローチャートである。本フローチャートの処理を行うプログラムは、例えばクライアントＰＣ３００にインストールされるプリンタドライバに含めることができる。プリント指示処理では、まず、関連情報をＩＣタグに書き込むか否かが判断される（Ｓ１０１）。
【００２６】
関連情報をＩＣタグに書き込むか否かの選択、及び関連情報のファイル名、所在等に関する情報は、例えば図５に示されるような画面３１０をクライアントＰＣ３００の表示装置に表示することにより利用者が入力することができる。同図の例では、関連情報を書き込むか否かを指定するチェックボックス３１１、テキストボックス３１２１〜３１２３にキーワードを入力するか、関連情報を手動入力するかを指定するチェックボックス３１２、関連情報をファイル名で自動検索するか否かを指定するチェックボックス３１３、関連情報を日付で自動検索するか否かを指定するチェックボックス３１４、関連情報をファイルの所有者で自動検索するか否かを指定するチェックボックス３１５が表示されている。
【００２７】
ステップＳ１０１では、上記画面において「関連情報を書き込む」のチェックボックス３１１がチェックされたか否かが判断され、チェックされている場合には（Ｓ１０１：ＹＥＳ）、まずプリントしようとしているファイルの所在に関する情報を取得する（Ｓ１０２）。そして、当該ファイルがファイルサーバ２００に存在するか否かを判定し（Ｓ１０３）、ファイルサーバに存在しない場合には（Ｓ１０３：ＮＯ）、プリントしようとするファイルを、ファイルサーバ２００に保存する（Ｓ１０４）。このように一度プリントしたファイルをファイルサーバに保存することにより、次回に、例えば同一のファイルをコピーするような指示がなされた場合に、ファイルサーバからファイルをダウンロードしてプリントすることも可能となる。
【００２８】
そして関連情報の検索条件を取得する（Ｓ１０５）。この処理は、前記した図５の画面において、どのチェックボックスがチェックされているかを検出することにより行うことができる。そして検索条件に応じて関連情報を取得する（Ｓ１０６）。ここでは、検索条件に応じてファイルサーバ２００への検索処理を行い、関連情報が取得できるか否かが判定される。
【００２９】
その後、図４のフローチャートへと移行し、非接触ＩＣタグに書き込むべき関連情報が取得可能である場合には（Ｓ１０７：ＹＥＳ）、関連情報を順次取得する。関連情報の内容の具体例としては、関連する情報を含むファイル（以下、「関連文書ファイル」という。）に関する情報、具体的には、関連文書ファイルの所在を示す情報（例えば複数のファイルサーバが接続されている場合には、どのファイルサーバか、及び当該ファイルサーバ内での所在を示すパス名等）を順次取得することが考えられる（Ｓ１０８）。
【００３０】
検索条件として、手動入力が指定されている場合（図５の画面３１０においていずれのチェックボックスも指定されていない場合）であって、テキストボックス１３２１〜１３２３のいずれにも何も入力されていない場合には、ステップＳ１０６にて、例えばファイルサーバ２００に格納されているファイルの一覧を表示して、利用者に選択させるようにすることができる。選択されたファイルについて、ステップＳ１０８及びＳ１０９にて順次関連情報を取得することができる。
【００３１】
検索条件として「ファイル名で検索」が指定されている場合（チェックボックス３１３が指定されている場合）には、プリントすべきプリントファイルとファイル名称が同一で拡張子が異なるようなファイルを検索して、関連文書ファイルとして取り扱う。ステップＳ１０８で順次取得する関連情報の内容については上記と同様に考えることができる。また、検索された関連文書ファイルを一旦一覧表示して利用者に選択させるようにしてもよい。これらの点は他の検索条件の場合も同様である。
【００３２】
検索条件として「日付で検索」が指定されている場合（チェックボックス３１４が指定されている場合）には、プリントすべきプリントファイルと作成日（あるいは更新日）が同一のファイルを検索して、関連文書ファイルとする。
検索条件として「所有者で検索」が指定されている場合（チェックボックス３１５が指定されている場合）には、プリントすべきプリントファイルと所有者が同一のファイルを検索して、関連文書ファイルとする。
【００３３】
なお、「キーワード」のチェックボックス３１２が指定されている場合には、テキストボックス３１２１〜３１２３に関連情報検索のためのキーワードが入力されているものと解釈される。従って、入力されたキーワードに基づいてファイルサーバ２００からのファイルの検索を行い、検索の結果をクライアントＰＣ３００に一覧表示する。利用者は、一覧表示されたファイルの中から関連文書ファイルを選択することができる。
【００３４】
関連情報の取得を全ての関連文書ファイルについて行った後は（Ｓ１０９：ＮＯ）、ＭＦＰ１００に対してプリントデータを送出する（Ｓ１１０）。その後、その他の情報として関連情報が存在する場合には（Ｓ１１１：ＹＥＳ）、原稿情報（プリントの対象となっているプリントファイルの名称、所在等に関する情報）に加えて関連情報も併せて送出する（Ｓ１１２）。送信される原稿情報及び関連情報の内容の一例を図６に示す。関連情報がない場合には原稿情報のみを送出する（Ｓ１１３）。
【００３５】
（４）画像形成時のＭＦＰ１００の処理内容
次に、上記のようにクライアントＰＣ３００から送信されたプリントデータに基づき、画像を形成する際のＭＦＰ１００の処理内容について説明する。図７は、画像形成時のＭＦＰ１００の処理内容について説明するためのフローチャートである。同図に示されるように、本実施の形態では、ＭＦＰ１００で動作する不図示のメインルーチンから同図のプリント処理が呼び出される形式となっており、プリントデータを受信していない場合（Ｓ２０１：ＮＯ）には、特に処理を行わずにメインルーチンにリターンする。
【００３６】
プリントデータを受信した場合には（Ｓ２０１：ＹＥＳ）、送信されてきたデータから、原稿情報及び関連情報を抽出する（Ｓ２０２）。そして画像形成すべきプリントデータをＲＩＰ（ラスタ・イメージ・プロセッサ）でイメージデータに展開し（Ｓ２０３）、記録シートへの印字処理を行う（Ｓ２０４）。これらの処理は公知であるから、詳細な説明は省略する。
【００３７】
そして、ＩＣタグリーダライタ部１５０から所定のリクエスト信号の送信などを行って記録シートにＩＣタグが埋め込まれているか否かを検出し、ＩＣタグが埋め込まれている場合であって（Ｓ２０５：ＹＥＳ）、関連情報が存在する場合には（Ｓ２０６：ＹＥＳ）、原稿情報及び関連情報をＩＣタグに書き込む（Ｓ２０７）。ＩＣタグがあっても書き込むべき関連情報がない場合には（Ｓ２０６：ＮＯ）、ＩＣタグに原稿情報のみを書き込む（Ｓ２０８）。そして記録シートを排出して（Ｓ２０９）、プリント処理を終了する。
【００３８】
（５）ＩＣタグ接近時のＭＦＰ１００の処理内容
次に、例えば情報が書き込まれたＩＣタグが埋め込まれた記録シートがＡＤＦ上に載置された場合などのＭＦＰ１００の処理内容について説明する。ＩＣタグリーダライタ部１５０は、例えば前記したＩＳＯ１４４４３やＩＳＯ１５６９３に規定される通信方式に従って、間欠的にリクエスト信号を送信している。もっとも通信方式はこれに限定されず、また、どのような通信方式を用いるかも任意であるから、ここでは通信方式に関する詳細な説明は省略する。近辺にＩＣタグが存在していれば、前記リクエスト信号に対してＩＣタグがレスポンス信号を応答する。その後の両者の間の無線通信によって、ＩＣタグリーダライタ部１５０は、ＩＣタグから情報を読み出すことができる。
【００３９】
図８、図９、図１１〜図１３は、ＩＣタグから情報を読み出す際のＭＦＰ１００の処理内容を示すフローチャートである。本実施の形態では、ＡＤＦに設けられた原稿検出センサ１１６によって原稿のセットが検出された場合に（Ｓ３０１：ＹＥＳ）、上記リクエスト信号の送信等の処理を行ってＩＣタグからの情報の読み出しを行うようにしている（Ｓ３０２）。これは、単にＩＣタグ付き原稿を所持した者が近辺を通過したような場合にまで以後の処理を行うことは適切でない場合も有り得るからである。
【００４０】
なお、ＡＤＦに原稿がセットされていない場合（Ｓ３０１：ＮＯ）、若しくは原稿がセットされてもＩＣタグが埋め込まれた原稿が存在しない場合には（Ｓ３０３：ＮＯ）、図１０（ａ）に示されるような通常のコピーモードの画面が操作パネルに表示される（Ｓ３０４）。一般的に複合型画像処理装置の操作パネルを操作して使う機能としては、▲１▼原稿のコピーを行う「コピーモード」、▲２▼原稿をスキャンして電子化し、ファイルサーバに格納させたりＰＣに送信する「スキャンモード」、▲３▼文書をＦＡＸ送信したり、メール送信する「ＦＡＸ／ネットワークモード」、▲４▼手動で蓄積文書のプリントを行う「プリントモード」が挙げられるが、これらの中では▲１▼のコピーモードを使用する頻度が高いことから、通常の画面としてはコピーモードの画面を表示するようにしている。ＩＣタグが埋め込まれた原稿が存在した場合には（Ｓ３０３：ＹＥＳ）、ＩＣタグから読み出した関連情報に基いて、ファイルサーバ２００に対して関連文書の検索を行う（Ｓ３０５）。
【００４１】
本実施の形態では、上記の検索の結果、関連文書ファイルが存在した場合に（Ｓ３０６：ＹＥＳ）、ネットワークへの接続、ファイルの検索機能を利用するものと判断し、操作パネル１１２に設けられる液晶パネル等の表示部に表示する画面を、図１０（ｂ）に示されるような関連文書操作画面に切り替え（Ｓ３０７）、検索された関連文書を一覧表示する（Ｓ３０８）。図１０（ｂ）の例では、ＭＦＰ１００のＡＤＦに載置された原稿に埋め込まれたＩＣタグに記憶された原稿情報から、原稿のファイル名が「原稿１」であることを示しており、関連情報として、関連文書のファイル名「関連文書１」、「関連文書２」、「関連文書３」のファイルがファイルサーバ２００に存在することを示している。利用者は、関連文書のいずれかを選択することができ（図１０（ｃ）は、関連文書１が選択された状態を示す図である。）、選択された関連文書１をファイルサーバ２００からダウンロードしてプリントしたり（図１０（ｃ）に示されるように「プリント」が選択された状態でスタートキーを押下することで関連文書１をプリントすることができる。）、入力したメールアドレスに対してメール送信することができる（図１０（ｄ）参照）。
【００４２】
以上のように、関連文書をプリントしたり、メール送信したりする際のＭＦＰ１００の処理内容が図９のフローチャートに示される。即ち、いずれかの関連文書が選択されているか否かが判定され（Ｓ３０９）、選択された場合であって（Ｓ３０９：ＹＥＳ）、メールモードが選択された場合（Ｓ３１０：ＹＥＳ）、スタートボタンが押下された場合に（Ｓ３１１：ＹＥＳ）、メールアドレスが入力されていれば（Ｓ３１２：ＹＥＳ）、選択された関連文書が入力されたメールアドレスにメール送信される（Ｓ３１３）。なお、スタートボタンが押下されたが（Ｓ３１１：ＹＥＳ）、メールアドレスが入力されていない場合は（Ｓ３１２：ＮＯ）、図１１のフローチャートへと移行して、エラーメッセージを表示し（Ｓ３１４）、図９のフローチャートのステップＳ３０９へと戻る。
【００４３】
ステップＳ３１０でメールモードが選択されていない場合（Ｓ３１０：ＮＯ）、本実施の形態ではプリントモードが選択されるので、図１２のフローチャートへと移行し、スタートボタンが押下された場合に（Ｓ３１５：ＹＥＳ）、選択された関連文書のプリント処理を行って（Ｓ３１６）、不図示のメインルーチンへリターンする。なお、本実施の形態では、関連文書が選択されていない場合に（Ｓ３０９：ＮＯ）、図１３のフローチャートへと移行し、スタートボタンが押下された場合には（Ｓ３１７：ＹＥＳ）、ＡＤＦにセットされた原稿のコピー処理（通常の処理であって、画像読取処理及び画像形成処理を含む。）を行うようにしている（Ｓ３１８）。
【００４４】
以上に説明したように、本実施の形態のＭＦＰは、非接触ＩＣタグが埋め込まれた原稿がＡＤＦに載置された場合に、読み出し手段を構成するＩＣタグリーダライタ部１１５によりＩＣタグから情報を読み出し、操作パネル上の液晶パネル等の表示手段に表示される表示画面を切り替えるとともに、関連情報に基いてファイルサーバ２００に対して検索を行い、関連文書ファイルが検索された場合には当該関連文書ファイルの一覧を表示する。そして、表示された関連文書ファイルから選択されたファイルについて、簡単な操作でプリント処理を行ったり、メール送信をすることができるので、利用者にとって非常に使い勝手がよい。
【００４５】
なお、本発明を実現するコンピュータプログラム（クライアントＰＣにインストールされるプログラムやＭＦＰ内で動作するプログラム等）は、例えば磁気テープ、フレキシブルディスク等の磁気ディスク、ＤＶＤ、ＣＤ−ＲＯＭ、ＣＤ−Ｒ、ＭＯ、ＰＤなどの光記録媒体、Ｓｍａｒｔ  Ｍｅｄｉａ（登録商標）、ＣＯＭＰＡＣＴＦＬＡＳＨ（登録商標）などのフラッシュメモリ系記録媒体等、コンピュータ読み取り可能な各種記録媒体に記録することが可能であり、当該記録媒体の形態で生産、譲渡等がなされる場合もあるし、プログラムの形態で、インターネットを含む有線、無線の各種ネットワーク、放送、電気通信回線、衛星通信等を介して伝送、供給される場合もある。
【００４６】
また、本発明に係るプログラムは、上記に説明した処理をコンピュータに実行させるための全てのモジュールを含んでいる必要はなく、例えば通信プログラムや、オペレーティングシステム（ＯＳ）に含まれるプログラムなど、別途情報処理装置にインストールすることができる各種汎用的なプログラムを利用して、本発明の各処理をコンピュータに実行させるようにしてもよい。従って、上記した本発明の記録媒体に必ずしも前記全てのモジュールを記録している必要はないし、また、必ずしも全てのモジュールを伝送する必要もない。さらに所定の処理を専用ハードウェアを利用して実行させるようにすることができる場合もある。
【００４７】
＜変形例＞
以上、本発明を種々の実施の形態に基づいて説明してきたが、本発明の内容が、上記実施の形態に示された具体例に限定されないことは勿論であり、例えば、以下のような変形例を考えることができる。
（１）即ち、上記実施の形態では、ＩＣタグを埋め込んだ記録シートを用いる場合について説明したが、ＩＣタグ等の非接触型情報媒体は必ずしも記録シートに埋め込む必要はなく、例えば、非接触型情報媒体の一例としてのＩＣカードを携帯電話機に挿入したような場合に適用することも可能である。即ち、予め所定の情報を記録したＩＣカードがＭＦＰに接近したような場合に、操作パネルの表示画面を切り替えるようにすることも可能だからである。
【００４８】
（２）また、上記実施の形態では、非接触ＩＣタグに関連情報を書き込み、当該関連情報が読み出された場合にネットワーク機能、より具体的にはファイル検索やダウンロードの機能を利用すると判断し、表示画面に関連文書の一覧を表示するようにしたが、このような処理に限定されず、例えば非接触ＩＣタグに記憶された情報（例えば「社内用」と「社外送付用」とのいずれかを記憶しておく等。）に基き、コピー画面とファックス送信画面とを切り替えたり、例えば「会議用」との情報が記憶されている場合に、コピー機能を利用すると判断し、コピーの部数を自動的に変更するなど、種々の変形例を考えることができる。
【００４９】
（３）また、関連文書があった場合には、セットされた原稿に対するコピーよりも関連文書に対して処理する機能、即ち関連文書をプリントする機能やＦＡＸ・メール送信する機能を使う頻度が高いと考えられるので、図１４（ｂ）に示されるように、プリントモードの画面を表示させたり、図１４（ｃ）のようにＦＡＸ／ネットワークの画面を表示させるように切り替えることもできる。このようにすることでユーザの使い勝手を向上させることが可能となる。
【００５０】
（４）上記実施の形態では、ＡＤＦに載置された記録シートに埋め込まれたＩＣタグに全て同じ情報（原稿情報及び関連情報）が記憶されている場合について説明したが、複数種類の原稿に対応する情報が記憶されたＩＣタグが混在している場合もある。そのような場合には、操作パネルに切り替えボタンを設けて順次関連情報の表示を切り替えるようにしてもよい。なお、情報の内容が原稿情報や関連情報だけでない場合には、情報の内容に応じて画面を切り替えるような処理を加えることもできる。
【００５１】
（５）さらに、上記実施の形態では、一のプリントジョブで複数枚の記録シートに画像を形成する場合、当該複数枚の記録シートに埋め込まれたＩＣタグのそれぞれに同一の情報が書き込まれる場合について説明した。しかしながら、一のプリントジョブでも、例えば異なるページごとに異なる関連情報を書き込むようにすることも可能である。この場合、クライアントＰＣ３００の側で、ページごとに異なる関連情報を設定することを可能とするとともに、ＭＦＰ１００の側では、ＩＣタグのそれぞれに個別に割り振られる識別子を読み取って、ページごとに異なる情報を書き込むようにすればよい。異なる関連情報が書き込まれた複数の原稿が、例えばＡＤＦに載置された場合の処理は、上記した、複数種類の原稿に対応する情報が記憶されたＩＣタグが混在している場合と同様に考えることができる。
【００５２】
【発明の効果】
以上のように、本発明に係る複合型画像処理装置によれば、ＩＣタグに記憶された情報に基いて、複数の機能のいずれかを判定し、表示画面を切り替えるようにしているので、利用者にとって、より使い勝手のよい複合型画像処理装置を提供することができるという効果がある。
【図面の簡単な説明】
【図１】本発明の実施の形態における複合型画像処理装置の全体構成を示す図である。
【図２】本発明の実施の形態のＭＦＰが接続されるネットワークシステムの構成、及びＭＦＰにおけるＩＣタグリーダライタ部の設置位置について説明するための図である。
【図３】クライアントＰＣで実行されるプリント指示処理の内容について説明するためのフローチャートである。
【図４】クライアントＰＣで実行されるプリント指示処理の内容について説明するためのフローチャートである。
【図５】関連情報をＩＣタグに書き込むか否かの選択や、関連文書ファイルの検索条件、関連文書ファイルのファイル名、キーワード等を入力するために、クライアントＰＣの表示装置に表示する画面の一例を示す図である。
【図６】関連情報の内容の一例を示す図である。
【図７】画像形成時のＭＦＰの処理内容について説明するためのフローチャートである。
【図８】ＩＣタグから情報を読み出す際のＭＦＰの処理内容を示すフローチャートである。
【図９】ＩＣタグから情報を読み出す際のＭＦＰの処理内容を示すフローチャートである。
【図１０】（ａ）操作パネルに表示される通常のコピーモードの画面の一例を示す図である。
（ｂ）関連文書操作画面の一例を示す図である。
（ｃ）関連文書の中から関連文書１が選択された状態を示す図である。
（ｄ）関連文書１をメール送信する旨が選択された状態を示す図である。
【図１１】ＩＣタグから情報を読み出す際のＭＦＰの処理内容を示すフローチャートである。
【図１２】ＩＣタグから情報を読み出す際のＭＦＰの処理内容を示すフローチャートである。
【図１３】ＩＣタグから情報を読み出す際のＭＦＰの処理内容を示すフローチャートである。
【図１４】本発明の変形例における関連文書操作画面の例を示す図である。
【符号の説明】
１００                複合型画像処理装置（ＭＦＰ）
１１１                パネルＩＦ（インタフェース）
１１２                操作パネル
１１５                ＩＣタグリーダライタ部
２００                ファイルサーバ
３００                クライアントＰＣ
５００                ＬＡＮ
【図１】
2004222085.tif 000003
【図２】
2004222085.tif 000004
【図３】
2004222085.tif 000005
【図４】
2004222085.tif 000006
【図５】
2004222085.tif 000007
【図６】
2004222085.tif 000008
【図７】
2004222085.tif 000009
【図８】
2004222085.tif 000010
【図９】
2004222085.tif 000011
【図１０】
2004222085.tif 000012
【図１１】
2004222085.tif 000013
【図１２】
2004222085.tif 000014
【図１３】
2004222085.tif 000015
【図１４】
2004222085.tif 000016